(57)【特許請求の範囲】
【請求項１】
ペンタミラーを用いた一眼レフカメラの接眼光学系において、
ペンタミラー側から順に、ペンタミラー側に凹面を向けた負のパワーを有するメニスカス形状の第１レンズ、正のパワーを有する第２レンズ、正のパワーを有する第３レンズ、及び眼側に凹面を向けた負のパワーを有する第４レンズから構成され、
第２レンズと第３レンズの少なくとも一方を、光軸方向に位置調整可能な視度調整レンズとし、
次の条件式（１）を満足することを特徴とする接眼光学系。
（１）−４．２０≦ＳＦ１＜−１．０
但し、
ＳＦ１＝（ｒ１ｓ＋ｒ１ｅ）／（ｒ１ｓ−ｒ１ｅ）
ｒ１ｓ：第１レンズのペンタミラー側の面の曲率半径、
ｒ１ｅ：第１レンズの眼側の面の曲率半径。
【請求項２】
請求項１記載の接眼光学系において、
第１レンズは少なくともペンタミラー側の面に、周辺部ほど負のパワーが強くなるような非球面を有する接眼光学系。
【請求項３】
請求項１又は請求項２に記載の接眼光学系において、
次の条件式（２）及び（３）を満足する接眼光学系。
（２）０．１０＜ｈ２／ｆｅ＜０．１４
（３）０．０８＜ｈ３／ｆｅ＜０．１３
但し、
ｈ２：第２レンズの光軸から有効光束の最も外側までの高さ、
ｈ３：第３レンズの光軸から有効光束の最も外側までの高さ、
ｆｅ：視度が−１．０ディオプタの状態における接眼光学系の焦点距離。
【請求項４】
請求項１ないし請求項３のいずれか１項記載の接眼光学系において、
光軸方向に可動の視度調整レンズは、その少なくとも１面が非球面である接眼光学系。
【請求項５】
請求項１ないし請求項４のいずれか１項記載の接眼光学系において、
次の条件式（４）を満足する接眼光学系。
（４）０＜ＳＦ４＜１．１
但し、
ＳＦ４＝（ｒ４ｓ＋ｒ４ｅ）／（ｒ４ｓ−ｒ４ｅ）
ｒ４ｓ：第４レンズのペンタミラー側の面の曲率半径、
ｒ４ｅ：第４レンズの眼側の面の曲率半径。
【請求項６】
請求項１ないし請求項５のいずれか１項記載の接眼光学系において、
第３レンズが視度調整レンズであり、
次の条件式（５）を満足する接眼光学系。
（５）１．０＜ｆ２／ｆ３＜３．５
但し、
ｆ２：第２レンズの焦点距離、
ｆ３：第３レンズの焦点距離。
【請求項７】
請求項１ないし請求項６のいずれか１項記載の接眼光学系において、
第２レンズが視度調整レンズである接眼光学系。
【発明の詳細な説明】
【０００１】
【技術分野】
本発明は、一眼レフカメラの接眼光学系に関する。
【０００２】
【従来技術及びその問題点】
一眼レフカメラにおいて、ペンタプリズムの代わりに中空のペンタミラーを正立光学系として用いると、反射光路が空気中であるため、ペンタプリズムを用いた場合のように、空気換算光路が１／ｎ倍（比べるペンタプリズムの屈折率をｎとする）に短くなる効果がなく、反射光路の幾何学的距離が同一のペンタプリズムより光路がｎ倍長くなってしまうので、接眼光学系の焦点距離が長くなり、ファインダー倍率が低下するのが避けられない。このため、接眼光学系として特別な設計を必要とする。例えば、特開平９−１４６０１９号公報、特開平６−１０９９８４号公報、及び特開平６−２３５８７０号公報は、ペンタミラー側から正負の２枚構成の接眼光学系を提案している。
【０００３】
しかし、特開平９−１４６０１９号公報の接眼光学系は、１３５型フィルムよりも小型のフィルム用一眼レフカメラ、具体的にはＡＰＳカメラを対象としており、画面サイズの大きい１３５型フィルム用一眼レフカメラには転用できない。また特開平６−１０９９８４号公報及び特開平６−２３５８７０号公報の接眼光学系は、視度調整機構を備えていない。勿論、理論上は、構成レンズの少なくとも一部を動かせば視度を変えることは可能であるが、もともと視度調節機能は考慮されていないため、視野の周辺部からの光束に対しても十分なアイレリーフ（接眼光学系の眼側の最終面からアイポイントまでの距離）を確保しようとすると、たとえレンズ径を拡大したとしても調節幅が少なく、効果が不十分である。
【０００４】
４枚構成の一眼レフカメラの接眼光学系は、例えば特公昭５９−５２４０４号公報が提案している。この接眼光学系は、負、正、正、負の４枚構成で、そのうちの２枚の正レンズを移動させることにより視度調整も考慮されているが、空気換算光路長の短いペンタプリズム用であるため、ペンタミラー用にそのまま転用することはできない。
【０００５】
【発明の目的】
本発明は、正立光学系としてペンタミラーを有する、１３５型フィルムを使用する一眼レフカメラ用の接眼光学系であって、視度調節ができ、かつ視度調節しても最終レンズからアイポイントまでの距離を十分確保した、ペンタミラーを含めて全体として小型な接眼光学系を得ることを目的とする。
【０００６】
本発明は、ペンタミラーを用いた一眼レフカメラの接眼光学系において、ペンタミラー側から順に、ペンタミラー側に凹面を向けた負のパワーを有するメニスカス形状の第１レンズ、正のパワーを有する第２レンズ、正のパワーを有する第３レンズ、及び眼側に凹面を向けた負のパワーを有する第４レンズから構成され、第２レンズと第３レンズの少なくとも一方を、光軸方向に位置調整可能な視度調整レンズとし、次の条件式（１）を満足することを特徴とする。中でも、見掛け視界の変化を抑制するには、第２レンズを視度調整レンズとすることが好ましい。
（１）−４．２０≦ＳＦ１＜−１．０
但し、
ＳＦ１＝（ｒ１ｓ＋ｒ１ｅ）／（ｒ１ｓ−ｒ１ｅ）
ｒ１ｓ：第１レンズのペンタミラー側の面の曲率半径、
ｒ１ｅ：第１レンズの眼側の面の曲率半径。
【０００８】
４枚の構成レンズのうち、特に第１レンズは、少なくともペンタミラー側の面に、周辺部ほど負のパワーが強くなるような非球面を有することが好ましい。また、光軸方向に可動の視度調節レンズは、その少なくとも１面が非球面であることが好ましい。
【０００９】
本発明の接眼光学系は、次の条件式（２）及び（３）を満足することが好ましい。
（２）０．１０＜ｈ２／ｆｅ＜０．１４
（３）０．０８＜ｈ３／ｆｅ＜０．１３
但し、
ｈ２：第２レンズの光軸から有効光束の最も外側までの高さ、
ｈ３：第３レンズの光軸から有効光束の最も外側までの高さ、
ｆｅ：視度が−１．０ディオプタの状態における接眼光学系の焦点距離、
である。
【００１０】
本発明の接眼光学系は、次の条件式（４）を満足することが好ましい。
（４）０＜ＳＦ４＜１．１
但し、
ＳＦ４＝（ｒ４ｓ＋ｒ４ｅ）／（ｒ４ｓ−ｒ４ｅ）
ｒ４ｓ：第４レンズのペンタミラー側の面の曲率半径、
ｒ４ｅ：第４レンズの眼側の面の曲率半径、
である。
【００１１】
本発明の接眼光学系は、次の条件式（５）を満足することが好ましい。
（５）１．０＜ｆ２／ｆ３＜３．５
但し、
ｆ２：第２レンズの焦点距離、
ｆ３：第３レンズの焦点距離、
である。
【００１２】
【発明の実施の態様】
図２９は、正立光学系としてペンタミラー１５を有する一眼レフカメラの概念図で、撮影レンズ系１１から入射した被写体像はクイックリターンミラー１２で反射された後、ピント板１３上に実像を結ぶ。撮影者は、接眼光学系１４及びペンタミラー１５を通して拡大されたその実像を観察する。
【００１３】
本発明は、この接眼光学系１４の構成を特徴とするもので、図３０に示すように、ペンタミラー１５側から順に、ペンタミラー側に凹面を向けた負のパワーを有するメニスカス形状の第１単レンズＬ１、正のパワーを有する第２単レンズＬ２、正のパワーを有する第３単レンズＬ３、及び眼側に凹面を向けた負のパワーを有する第４単レンズＬ４から構成されている。そして、この第２単レンズＬ２と第３レンズＬ３の少なくとも一方を、光軸方向に位置調節可能な視度調節レンズとしている。第２レンズＬ２を視度調節レンズとする場合は、該第２レンズをを第１レンズＬ１に接近させると、マイナス方向、第４レンズＬ４に接近させると、プラス方向に視度を調節することができる。第３レンズをＬ３を視度調節レンズとすると、逆に、該第３レンズをを第２レンズＬ１に接近させると、プラス方向、第４レンズＬ４に接近させると、マイナス方向に視度を調節することができる。このような構成が優れている点は次の通りである。
【００１４】
ペンタミラー（ペンタゴナルダハミラー）１３は、周知のように、ペンタプリズムの各反射面をミラーに置き換えた屋根型のダハ面を備えたミラーであり、屋根の内側面に鏡面処理を行って反射面を構成している。反射面のさらに外側には鏡面処理の基板があるので、ダハミラーの外形は大きくなる傾向にある。また、ペンタミラーを正立光学系に使った場合、反射光路が空気中であるため、従来のペンタプリズムの場合のように、空気換算光路長がその（１／屈折率）倍に短くなる効果がなく、反射光路が長くなってしまうので、接眼光学系の焦点距離が長くなり、ファインダー倍率が低下してしまう傾向にある。
【００１５】
カメラを小型化するために、またファインダー倍率を上げるためにはペンタミラーを小型化しなければならないが、ペンタミラーを小型化すると、ペンタミラーから接眼光学系に向かって射出される「窓」が小さくなってしまい、画面周辺部の光束に対して十分なアイレリーフを確保することが困難になる。特に現在最も普及している１３５型フィルムを用いるカメラのファインダーで、ペンタミラーを用い、さらに視度調節機能を持たせようとした場合、従来のタイプのレンズ構成では十分な視度調節範囲の全域に渡って、十分なアイレリーフを確保することは不可能であることがわかった。
【００１６】
これに対し、本発明によると、最もペンタミラー側に強い発散力を持つ凹面を配置することにより、狭いペンタミラー窓から射出された光束を高くする（光軸から離す）ことができるので、十分なアイレリーフを確保しやすくなる。
【００１７】
また、一眼レフのファインダー光学系は全体としては正のパワーを持つが、第１レンズの強い負のパワーに対する正のパワーを第２レンズと第３レンズに分担させることにより、第１レンズで発生する諸収差を良好に補正できる。また、正のパワーを第２、第３レンズの２枚に分担させることで、視度調節レンズに適度なパワーを持たせることができ、移動による視度の変化量と、収差の変動とをバランスさせることができる。
【００１８】
負の第４レンズは、正の第２、第３レンズで低くなった（光軸に接近した）光束を再び高くするものであり、これにより、視度調節範囲全域に渡って十分なアイレリーフを確保することができる。
【００１９】
第１レンズ又は第４レンズを光軸方向に可動の視度調節レンズとすることも理論上は可能である。しかし、第１レンズはペンタミラー直後に配置し、光束を高くする作用を持たせるために、固定することが好ましく、また第４レンズは、最終レンズであり、別途カバーガラスを設けない限り、ユーザーが手で触れることができるレンズなので、同じく固定することが好ましい。第２レンズと第３レンズのいずれを視度調節レンズとするかは、次の得失によって決定することができる。
【００２０】
第２レンズと第３レンズでは、正の第２レンズで光束が収束するので、第３レンズの方が小型である。より小型な第３レンズを動かした方が、移動機構を小型に構成することができるので、「小型化」の点では第３レンズを視度調節レンズとすることが好ましい。一方、第２レンズを移動させると、移動する第２レンズより後ろの第３レンズと第４レンズの合成焦点距離が長くなる（合成のパワーが弱くなる）ので、視度調節による見掛け視界の変化が少ない。つまり、見掛け視界の変化を抑えるには、第２レンズを視度調節レンズとすることが好ましい。
【００２１】
条件式（１）は、ペンタミラー側に凹面を向けた負のパワーを有するメニスカス形状の第１レンズＬ１の形状を更に詳しく規定したものである。この条件式（１）の下限を越えると、第１レンズの発散力が弱くなるので広い視度調節域に渡って十分なアイレリーフを確保することができなくなる。逆に上限を越えると第１レンズの発散力が強くなるので、広い視度調節域に渡って十分なアイレリーフを確保するには有利になるが、発生する球面収差、コマ収差などを後方レンズで補正しきれなくなる。また第２、第３レンズのレンズ径が大きくなりすぎてしまう。
【００２２】
この第１レンズは、該第１レンズで発生する球面収差、コマ収差などを抑えつつ、第１レンズの発散効果を周辺光束までより効果的に用いるため、その第１面を、周辺部ほど発散力が強くなるような非球面とすることが好ましい。
【００２３】
条件式（２）は第２レンズの外径（大きさ）を規定したものである。第２レンズは正のパワーを持ち、第１レンズの強い発散力で発生した諸収差を補正するが、第１レンズからの高い光束をケルことなく、後方レンズに伝えなければならない。条件式（２）を満足することでその目的を達成することができる。上限を越えると第２レンズのレンズ径、レンズ厚が増大しすぎてしまい、カメラの大型化したり、視度調節範囲が狭くなってしまったりする。
【００２４】
条件式（３）も、同様に第３レンズの外径（大きさ）を規定したものである。正のパワーの第２レンズで光束がやや下がるので、第２レンズより第３レンズのほうが外径は小型である。上限を越えると第３レンズのレンズ径、レンズ厚が増大しすぎてしまい、カメラの大型化したり、視度調節範囲が狭くなってしまったりする。
【００２５】
また、視度調節レンズ（第２レンズ又は第３レンズ）については、少なくとも一面を非球面とすることにより、視度調節によって変動する諸収差を少なく抑えることができる。
【００２６】
条件式（４）は、第４レンズの形状を詳しく規定したものである。条件式（４）の下限を越えると、第４レンズのペンタミラー側の面が深い凹面となるので、第３レンズを視度調節レンズとした場合には、この視度調節レンズが第４レンズに接近できなくなり、視度調節範囲が狭くなってしまう。上限を越えると、第４レンズの眼側の凹面の曲率半径がきつくなりすぎるので、カメラのボディ面に対してファインダーが凹んでしまい、十分なアイレリーフを確保するのが困難になる。
【００２７】
条件式（５）は、第３レンズを視度調節レンズとする場合の第２レンズと第３レンズの２枚の正レンズのパワー配分を規定したものである。収差補正上は２枚の正レンズにほぼ等しいパワーを配分するのが好ましいが、第３レンズで視度調整を行う場合、少ない移動量で広い範囲に渡って視度を調節するためには第３レンズにより大きなパワーを配分することが好ましい。条件式（５）はそれを規定している。条件式（５）の下限を越えると第３レンズのパワーが小さくなりすぎ、十分な視度調節範囲が得られない。上限を越えると視度調節範囲は広く取ることができるが、第３レンズで発生する諸収差を補正しきれなくり、また第２レンズのパワーが弱くなるので第３レンズのレンズ径が大きくなってしまう。
【００２８】
次に本発明の数値実施例を説明する。以下の表及び図面中、ＤＰは視度、ｆｅは接眼光学系の焦点距離、βは見掛け視界（半量）、φは射出瞳径、ｈは１３５型フィルム画面サイズの視野率９２％のときピント板上で想定した光軸から最も遠い位置までの距離（（半量で21.6）×0.92＝19.9ｍｍ）、ｄ０は撮影光学系の結像面（ピント板）から接眼光学系の第１レンズのペンタミラー側の面までの距離、ＥＲはアイレリーフ（接眼光学系の眼側の最終面からアイポイント（ファインダ光学系の射出瞳の位置）までの距離）、Ｓはサジタル、Ｍはメリジオナル、Ｒは曲率半径、Ｄはレンズ厚またはレンズ間隔、Ｎｄはｄ線の屈折率、νｄはアッベ数を示す。
回転対称非球面は次式で定義される。
x=Ch2/[1+[1-(1+K)C2h2]1/2]+A4h4+A6h6+A8h8 +A10h10・・・
（Ｃは曲率(1/r)、ｈは光軸からの高さ、Ｋは円錐係数、Ａi はｉ次の非球面係数）
【００２９】
「実施例１」
図１は本発明による一眼レフカメラの接眼光学系の第１の実施例のレンズ構成図、表１はその数値データ、図２、図３、図４はそれぞれ、同レンズ系の−１．０、＋０．９５、−１．９５ディオプタでの縦収差図である。基本的なレンズ構成は、図３０で説明したのと同じであり、第３レンズが視度調節レンズである。
【００３０】
【表１】
0004262335.tif 000002
【００３１】
「実施例２」
図５は本発明による一眼レフカメラの接眼光学系の第２の実施例のレンズ構成図、表２はその数値データ、図６、図７、図８はそれぞれ、同レンズ系の−１．０、＋１、−２．０ディオプタでの縦収差図である。基本的なレンズ構成は、図３０で説明したのと同じであり、第２レンズが視度調節レンズである。
【００３２】
【表２】
0004262335.tif 000003
【００３３】
「実施例３」
図９は本発明による一眼レフカメラの接眼光学系の第３の実施例のレンズ構成図、表２はその数値データ、図１０、図１１、図１２はそれぞれ、同レンズ系の−１．０、＋０．９５、−１．９ディオプタでの縦収差図である。基本的なレンズ構成は、図３０で説明したのと同じであり、第３レンズが視度調節レンズである。この実施例は、第４レンズの眼側の面（８面）の曲率半径が比較的緩いので、ファインダー窓を覗く際に眼側からの逆入射光線がこの８面で反射して視野に入り観察の妨げとなりにくく、またこの８面は周辺部に対して中心部の凹み量が少ないので、アイレリーフの長さという点で有利である。
【００３４】
【表３】
0004262335.tif 000004
【００３５】
「実施例４」
図１３は本発明による一眼レフカメラの接眼光学系の第４の実施例のレンズ構成図、表４はその数値データ、図１４、図１５、図１６はそれぞれ、同レンズ系の−１．０、＋０．９４、−１．９ディオプタでの縦収差図である。基本的なレンズ構成は、図３０で説明したのと同じであり、第３レンズが視度調節レンズである。この実施例４は、第４レンズのペンタミラー側の面（７面）の曲率半径が比較的緩いので、第３レンズと第４レンズの周辺部での間隔が広く、第３レンズを支持する枠の構成が容易である。
【００３６】
【表４】
0004262335.tif 000005
【００３７】
「実施例５」
図１７は本発明による一眼レフカメラの接眼光学系の第５の実施例のレンズ構成図、表５はその数値データ、図１８、図１９、図２０はそれぞれ、同レンズ系の−１．０、＋０．９７、−１．９ディオプタでの縦収差図である。基本的なレンズ構成は、図３０で説明したのと同じであり、第３レンズが視度調節レンズである。この実施例５は、第１レンズの発散力が比較的強いので、第２、第３レンズのレンズ径は大きくなるが、十分なアイレリーフを確保するには有利である。
【００３８】
【表５】
0004262335.tif 000006
【００３９】
「実施例６」
図２１は本発明による一眼レフカメラの接眼光学系の第６の実施例のレンズ構成図、表６はその数値データ、図２２、図２３、図２４はそれぞれ、同レンズ系の−１．０、＋０．９５、−１．９ディオプタでの縦収差図である。基本的なレンズ構成は、図３０で説明したのと同じであり、第３レンズが視度調節レンズである。実施例６は、第１レンズの発散力を比較的抑えたもので、第２、第３レンズのレンズ径を小さくでき、カメラの小型化に有利である。
【００４０】
【表６】
0004262335.tif 000007
【００４１】
「実施例７」
図２５は本発明による一眼レフカメラの接眼光学系の第７の実施例のレンズ構成図、表７はその数値データ、図２７、図２８、図２９はそれぞれ、同レンズ系の−１．０、＋０．９５、−１．９ディオプタでの縦収差図である。基本的なレンズ構成は、図３０で説明したのと同じであり、第３レンズが視度調節レンズである。この実施例７は、他の実施例と異なり、第２レンズのパワーが第３レンズのパワーより強い。第３レンズを可動の視度調節レンズとする場合には、他のレンズに比べて偏心による視野像の変化が大きくなりがちである。これを嫌う場合には、視度調節範囲とのバランスを考慮して、この実施例７のように、固定レンズの第２レンズに正のパワーをより多く配分することが好ましい。
【００４２】
【表７】
0004262335.tif 000008
【００４３】
次に、実施例の条件式に対する値を表８に示す。
【表８】
0004262335.tif 000009
【００４４】
表８から明らかなように、実施例１ないし７は条件式（１）ないし（５）を満足している。また、諸収差図に示すように、各調節視度での諸収差もよく補正されている。
【００４５】
【発明の効果】
本発明によれば、ペンタミラーを有する一眼レフカメラ用の接眼光学系であって、視度調節ができ、かつ視度調節しても十分なアイレリーフを確保した、ペンタミラーを含めて全体として小型な接眼光学系を得ることができる。
【図面の簡単な説明】
【図１】本発明による一眼レフカメラの接眼光学系の第１の実施例のレンズ構成図である。
【図２】図１の接眼光学系を−１．０ディオプタに調節したときの諸収差図である。
【図３】図１の接眼光学系を＋０．９５ディオプタに調節したときの諸収差図である。
【図４】図１の接眼光学系を−１．９ディオプタに調節したときの諸収差図である。
【図５】本発明による一眼レフカメラの接眼光学系の第２の実施例のレンズ構成図である。
【図６】図５の接眼光学系を−１．０ディオプタに調節したときの諸収差図である。
【図７】図５の接眼光学系を＋１ディオプタに調節したときの諸収差図である。
【図８】図５の接眼光学系を−２．０ディオプタに調節したときの諸収差図である。
【図９】本発明による一眼レフカメラの接眼光学系の第３の実施例のレンズ構成図である。
【図１０】図９の接眼光学系を−１．０ディオプタに調節したときの諸収差図である。
【図１１】図９の接眼光学系を＋０．９５ディオプタに調節したときの諸収差図である。
【図１２】図９の接眼光学系を−１．９ディオプタに調節したときの諸収差図である。
【図１３】本発明による一眼レフカメラの接眼光学系の第４の実施例のレンズ構成図である。
【図１４】図１３の接眼光学系を−１．０ディオプタに調節したときの諸収差図である。
【図１５】図１３の接眼光学系を＋０．９４ディオプタに調節したときの諸収差図である。
【図１６】図１３の接眼光学系を−１．９ディオプタに調節したときの諸収差図である。
【図１７】本発明による一眼レフカメラの接眼光学系の第５の実施例のレンズ構成図である。
【図１８】図１７の接眼光学系を−１．０ディオプタに調節したときの諸収差図である。
【図１９】図１７の接眼光学系を＋０．９７ディオプタに調節したときの諸収差図である。
【図２０】図１７の接眼光学系を−１．９ディオプタに調節したときの諸収差図である。
【図２１】本発明による一眼レフカメラの接眼光学系の第６の実施例のレンズ構成図である。
【図２２】図２１の接眼光学系を−１．０ディオプタに調節したときの諸収差図である。
【図２３】図２１の接眼光学系を＋０．９５ディオプタに調節したときの諸収差図である。
【図２４】図２１の接眼光学系を−１．９ディオプタに調節したときの諸収差図である。
【図２５】本発明による一眼レフカメラの接眼光学系の第７の実施例のレンズ構成図である。
【図２６】図２５の接眼光学系を−１．０ディオプタに調節したときの諸収差図である。
【図２７】図２５の接眼光学系を＋０．９５ディオプタに調節したときの諸収差図である。
【図２８】図２５の接眼光学系を−１．９ディオプタに調節したときの諸収差図である。
【図２９】本発明を適用する一眼レフカメラの概念図である。
【図３０】本発明の接眼光学系のレンズ構成図である。
【符号の説明】
１１  撮影レンズ系
１３  ピント板
１４  接眼光学系
１５  ペンタミラー
Ｌ１  第１レンズ
Ｌ２  第２レンズ
Ｌ３  第３レンズ
Ｌ４  第４レンズ
【図１】
0004262335.tif 000010
【図２】
0004262335.tif 000011
【図３】
0004262335.tif 000012
【図４】
0004262335.tif 000013
【図５】
0004262335.tif 000014
【図６】
0004262335.tif 000015
【図７】
0004262335.tif 000016
【図８】
0004262335.tif 000017
【図９】
0004262335.tif 000018
【図１０】
0004262335.tif 000019
【図１１】
0004262335.tif 000020
【図１２】
0004262335.tif 000021
【図１３】
0004262335.tif 000022
【図１４】
0004262335.tif 000023
【図１５】
0004262335.tif 000024
【図１６】
0004262335.tif 000025
【図１７】
0004262335.tif 000026
【図１８】
0004262335.tif 000027
【図１９】
0004262335.tif 000028
【図２０】
0004262335.tif 000029
【図２１】
0004262335.tif 000030
【図２２】
0004262335.tif 000031
【図２３】
0004262335.tif 000032
【図２４】
0004262335.tif 000033
【図２５】
0004262335.tif 000034
【図２６】
0004262335.tif 000035
【図２７】
0004262335.tif 000036
【図２８】
0004262335.tif 000037
【図２９】
0004262335.tif 000038
【図３０】
0004262335.tif 000039